(57)【特許請求の範囲】
【請求項１】
外周の辺に光学シート類を載置可能な載置面が形成され、該載置面の外側に立壁が形成される照明ユニット用のシャーシであって、少なくとも常態において下辺となる外周の辺に形成される立壁には、前記光学シート類の下辺となる辺が係止可能な係止片が突設され、
相対向する外周の二辺に形成される前記立壁に突設される前記係止片の先端どうし間の距離が、該各二辺に位置する光学シート類の外周の二辺間の幅寸法よりも大きく形成されることを特徴とする照明ユニット用のシャーシ。
【請求項２】
前記立壁が外周のすべての辺に形成され、各辺に形成される前記立壁には、光学シート類の各外周の辺が係止可能な係止片が突設されることを特徴とする請求項１に記載の照明ユニット用のシャーシ。
【請求項３】
前記係止片が前記立壁に一体に形成されることを特徴とする請求項１または請求項２に記載の照明ユニット用のシャーシ。
【請求項４】
請求項１から請求項３のいずれかに記載の照明ユニット用のシャーシを備えることを特徴とする照明ユニット。
【請求項５】
請求項４に記載の照明ユニットが組み込まれることを特徴とする表示装置。
【請求項６】
請求項４に記載の照明ユニットまたは請求項５に記載の表示装置を備えることを特徴とするテレビ受信機。
【発明の詳細な説明】
【技術分野】
【０００１】
本発明は、照明ユニット用のシャーシ、このシャーシが組み込まれた照明ユニット、表示装置およびテレビ受信機に関するものであり、特に透過型の液晶表示パネルを備える表示装置またはテレビ受信機に好適に適用される照明ユニット用のシャーシ、このシャーシが組み込まれた照明ユニット、表示装置およびテレビ受信機に関するものである。
【背景技術】
【０００２】
平面型の表示装置のうち、たとえば透過型の液晶表示パネルを備える液晶表示装置などは、一般的に液晶表示パネルの背面側に照明ユニットが配置される構成を備える。この照明ユニットは、光源と光学シート類とを備え、光源が発する光の特性を光学シート類によって調整し、液晶表示パネルの背面側に照射する。そしてこの照明ユニットから照射された光が液晶表示パネルを透過することにより、液晶表示パネルの前面側に画像が可視状態に表示される。【０００３】
このような、光源と表示パネルとの間に光学シート類を介在させる構成において、光学シート類にしわや撓みが発生すると、このしわや撓みが液晶表示パネル上に輝度ムラや陰影となって現れることがある。このため、高品位な画像表示を実現する表示装置を提供するためには、光学シート類をしわや撓みのない状態に維持する必要がある。【０００４】
光学シート類を支持する構成としては、たとえば、光学シート類の周縁部に貫通孔を形成し、この貫通孔にボスなどを遊嵌するという構成が用いられている（特許文献１参照）。また、光学シート類の周縁部に位置決め片を延設し、この位置決め片をシャーシまたはフレームに形成される凹部に係合させるという構成も用いられている（特許文献２参照）。このような構成によれば、光学シート類を位置決めして所定の領域から脱落しないように保持することができる。【０００５】
しかしながらこのような構成では、表示装置を立てた状態で使用すると、光学シート類には、貫通孔や位置決め片の周辺にその自重が集中して加わることになる。その結果、貫通孔または位置決め片の周辺にしわや撓みが発生するおそれがある。このため、光学シート類の特定の箇所に力が集中しないように、光学シート類のいずれかの辺でその全長に亘って支持する構成とすることが好ましいと考えられる。【０００６】
図６は、光学シート類の外周の辺をほぼ全長に亘って支持する従来の表示装置の構成を模式的に示した分解斜視図である。この表示装置９は、表示パネル９６と光源ランプ９５の間に光学シート類９２が介在する構成を備える。この表示装置９のうち、光学シート類の支持に関する部分のみ簡単に説明すると、光学シート類９２は、その周縁部がシャーシ９１の周縁部の載置面９１１とサイドホルダ９４に載置され、その前面側からフレーム９３が装着される。シャーシ９１の段差面９１１の外側にはフレーム９３の側に向かって突出する立壁９１２が形成される。一方、フレーム９３の内周縁にはシャーシ９１またはサイドホルダ９４の側に向かって突出する段差面９３１が形成される。そして、フレーム９３の段差面が９３１が、シャーシ９１の立壁９１２に囲まれた領域に落とし込まれるように組み付けられる。したがって、光学シート類９２の周縁部は、シャーシ９１の段差面９１１および立壁９１２またはサイドホルダ９４と、フレーム９３の段差面９３１とに囲まれた領域に収納される。【０００７】
このような構成において、表示装置９の長辺を下辺として立てた状態とすると、光学シート類９３は自重によって下方に移動しようとし、下辺がシャーシの立壁９１２に接触して支持される状態となる。このように、下辺全体で光学シート類が支持されるから、特定の箇所に自重が集中することがない。【０００８】
なお、本発明に関連する先行技術文献として、特開平１１−３３７９４２号公報および特開２００１−７６５２７号公報が挙げられる。
【発明の開示】
【発明が解決しようとする課題】
【０００９】
しかしながらこのような構成では、シャーシ９１と、フレーム９３との間に隙間が存すると、光学シート類９２の下辺がこの隙間に入り込んで撓み変形を起こす場合がある。【００１０】
光学シート類がシャーシとフレームとの間に入り込んで撓み変形しないようにするためには、シャーシの立壁とフレームの段差面との間の隙間を小さくするか、またはこの隙間をなくす構成が考えられる。しかしながら、フレーム９３の段差面９３１がシャーシ９１の立壁９１２に囲まれた領域内に落とし込まれるように組み付るためには、設計上ある程度の寸法公差を設定する必要がある。また、この隙間を小さくすると、フレーム９３の組み付けが困難となる。さらに、各部材の熱変形などの変形量の相違を吸収できるようにする必要もある。このため、この隙間を小さくすることやなくすことは現実的にきわめて困難である。【００１１】
一方、光学シート類を辺全体で支持する構成としては、光学シート類の四辺を前面側と背面側から挟み込むようにして固定する構成、または光学シート類の各辺を両面テープなどによりフレームやシャーシなどに接着する構成などが用いられている。これらの構成は、光学シート類の各辺を固定して移動や変形ができないようにし、これによりしわや撓みの発生を抑制する。しかしながらこのような構成では、次のような問題点を有する。【００１２】
光学シート類の四辺がフレームなどに固定される構成では、使用時の発熱などにより光学シート類やフレームが熱膨張した際、熱膨張率の相違によって光学シート類の四辺に不測の力が加わることになる。その結果、光学シート類の四辺にしわや撓みが発生しうる。たとえば、合成樹脂材料の熱膨張率は金属材料に比較して、一般的に１桁以上大きい値を有する。したがって、光学シート類が合成樹脂材料から形成され、フレームが金属材料から形成されるものであると、温度上昇の際、光学シート類の固定されている部分は熱膨張が妨げられる。そして、フレームなどに固定されている部分とされていない部分との境界で変形量に差が生じ、結果としてこの境界近傍にしわや撓みが発生することになる。【００１３】
そこで、光学シート類の各辺をできるだけ拘束しない状態にしつつ各辺の全長に亘って支持する構成としたいが、光学シート類の各辺を拘束しない構成とすると、前記のような問題が発生し、しわや撓みの発生を抑制できない。【００１４】
上記実情に鑑み、本発明が解決しようとする課題は、光学シート類を支持するに際し、光学シート類の特定の箇所に自重や外力が集中することのない状態で支持して、しわや撓みの発生を抑制できる、または、光学シート類が所定の範囲から脱落することによる変形を防止できる照明ユニット用のシャーシ、照明ユニット、表示装置またはテレビ受信機を提供することである。
【課題を解決するための手段】
【００１５】
このような課題を解決するため、本発明は、照明ユニット用のシャーシの各辺のうち、少なくとも常態において下辺となる外周の辺に、光学シート類の下辺となる辺が接触するように載置できる立壁を形成し、この立壁に、光学シート類の下辺となる辺が係止できる係止片が突設され、相対向する外周の二辺に形成される前記立壁に突設される前記係止片の先端どうし間の距離が、該各二辺に位置する光学シート類の外周の二辺間の幅寸法よりも大きく形成されるものである。
【００１６】
なお、すべての辺に光学シート類の外周の辺が当接できる立壁を形成し、光学シート類の外周の各辺を係止できる係止片を突設するものであってもよい。【００１７】
ここで、各立壁に突設される係止片は、各立壁に一体に形成されるものであることが好ましい。たとえば立壁が金属板材から形成されるものであれば、プレス加工により係止片を突設させる構成などが適用でき、樹脂材料から形成されるものであれば、立壁に一体にモールドする構成などが適用できる。
【発明の効果】
【００１９】
本発明によれば、照明ユニットや表示装置を立てた状態とすると、光学シート類の下辺がほぼ全長に亘って立壁によって支持される構成となる。このため光学シート類の自重が下辺の全長に亘って均等に、または均等に近い状態に分散して加わることから、局所的にしわや撓みが生じることを抑制できる。そして、光学シート類の下辺が立壁に形成される係止片に係合して立壁からの脱落が防止されるから、光学シート類の脱落に起因するしわや撓みも生じない。このため、表示装置などに適用した場合において、画面上に光学シート類のしわや撓みに起因する陰影や輝度ムラの発生が抑制でき、高品位の表示を行うことができる照明ユニットや表示装置などを提供することができる。また、係止片の先端どうしの間の距離が光学シート類の寸法よりも大きいと、光学シート類をシャーシに組み付ける際に、光学シート類を変形させる必要がなく、容易に組み付けることができ、組み付け時における光学シート類の破損等も防止できる。
【００２０】
そして、光学シート類の四辺をこのような構造で支持する構成とすれば、照明ユニットまたは表示装置をどの向きに設置しても、すなわちどの辺を下辺として設置しても、光学シート類にしわや撓みの発生が抑制された状態で使用できる。このため、表示品位を維持しつつ、使用態様の自由度を上げることができる。【００２１】
また、前記係止片をシャーシに一体に形成する構成とすれば、シャーシの構造を複雑化する必要がない。そしてシャーシの製造において係止片を形成する工程を附加する必要がないから、シャーシの製造コストの上昇を招くことがない。
【図面の簡単な説明】
【００２３】
【図１】本発明の実施形態に係る照明ユニットを含む表示装置の構造を模式的に示した分解斜視図である。
【図２】前記照明ユニットのバックライトアングルの構造を模式的に示した部分拡大図である。
【図３】本発明の実施形態に係る照明ユニットにおける光学シート類の支持構造を示した断面模式図であり、（ａ）は、バックライトアングルの長辺における光学シート類の支持構造を、（ｂ）は、バックライトアングルの短辺における光学シート類の支持構造を示す。
【図４】本発明の他の実施形態に係る照明ユニットの構造を模式的に示した分解斜視図である。
【図５】前記照明ユニットにおける光学シート類の支持構造を示した断面模式図である。
【図６】従来の表示装置の組み付け構造を模式的に示した分解斜視図である。
【図７】本発明の実施形態にかかるテレビ受信機の構成を示した分解斜視図である。
【発明を実施するための最良の形態】
【００２４】
以下に、本発明の実施形態について、図面を参照して詳細に説明する。ここでは、透過型の液晶表示パネルを備える表示装置に組み込まれる照明ユニットに適用される実施形態を示す。【００２５】
図１は、本発明の実施形態に係る照明ユニット用のシャーシまたは表示装置用の照明ユニットが組み込まれた透過型の液晶表示装置の組み付け構造を、模式的に示した分解斜視図である。なお、本明細書においては、図１中の上方を表示装置用の照明ユニットまたは表示装置の前面側と称し、下方を背面側と称する。【００２６】
まず、本実施形態に係る表示装置用の照明ユニット１ａの構成の概略について図１を参照して説明する。本照明ユニット１ａは、この照明ユニット１ａのシャーシとなるバックライトアングル１１ａと、光源ランプと１２と、光源ランプ１２が発する光の特性を調整する光学シート類１３と、光学シート類１３のスペーサなどとして機能するサイドホルダ１４と、光学シート類１３の脱落防止やその他の機能を有するフレーム１５ａとを備える。またこのほかに、光源ランプ１２が発する光を乱反射させる反射シート１６と、光源ランプ１２を駆動する駆動回路基板１７と、この駆動回路基板１７を覆う駆動回路基板カバー１８とを備える。【００２７】
そして、本実施形態に係る表示装置２ａは、前記照明ユニット１ａに加え、画像を表示する液晶表示パネル２１と、この液晶表示パネル２１を照明ユニット１ａに固定するなどの機能を有するベゼル２２と、液晶表示パネル２１を制御する制御回路基板２３と、この制御回路基板２３を覆う制御回路基板カバー２４とを備える。【００２８】
次いで、本照明ユニット用のシャーシであるバックライトアングル１１ａおよび本照明ユニット１ａを構成するその他の部材について説明する。【００２９】
バックライトアングル１１ａは、略方形の平板状の部材で、たとえば金属板材などからプレス加工などにより形成される。図２（ａ）は、バックライトアングル１１ａの長辺の周縁部の一部を抽出して示した部分拡大図である。この図２（ａ）に示すように、各長辺の周縁部は、前面側に向かって階段状に曲げ起こされる構成を有する。すなわち、バックライトアングル１１ａの底面１１１ａから前面側の所定の高さに、この底面１１１ａに略平行な段差面状の載置面１１２ａが形成される。【００３０】
この載置面１１２ａの長辺の外側は前面側に曲げ起こされ、立壁１１３ａが形成される。立壁１１３ａの先端は、さらに外側に向かって曲げられると共に、長辺の内側に向かって突起する係止片１１４ａが形成される。この係止片１１４ａの形成方法は限定されるものではないが、たとえば、次のような方法で形成することが好ましい。まず、係止片１１４ａを形成する位置に、略Ｕ字形状の切り込みを形成する。そして、立壁１１３ａの先端側を外側に曲げると、前記切り込みに囲まれた領域が長辺の内側に向かって起きあがる。これにより、係止片１１４ａがバックライトアングル１１ａに一体に形成される。なお、この係止片１１４ａの好ましい寸法等については後述する。【００３１】
サイドホルダ１４は略棒状の部材であり、たとえば合成樹脂材料などにより一体的に形成される。図２（ｂ）は、サイドホルダ１４の外観を拡大して示した図である。この図２（ｂ）を参照して説明すると、サイドホルダ１４の前面側には光学シート類１３の短辺を載置する載置面１４３が形成される。そしてこの載置面１４３の側方には、サイドホルダ１４の長さ方向に亘って前面側に向かって起立する立壁１４１が形成される。さらに、この立壁１４１の上端（すなわち前面側）には、バックライトアングル１１ａに装着した際にその短辺の内側に向かって突出する係止片１４２が形成される。このサイドホルダ１４のその他の構成については、従来一般に用いられるものと同じ構成が適用できることから、説明は省略する。【００３２】
図１に戻ってその他の部材について説明すると、フレーム１５ａは、略開口した方形に形成される部材であり、たとえば金属板材などからプレス加工によって形成される。各辺の内周縁側は、背面側に向かって突出する段差面１５２ａが形成される。また、各辺の外周縁側は背面側に向かって曲げ起こされており、このため、各辺は略Ｌ字形状の断面を有する。【００３３】
光学シート類１３、光源ランプ１２、反射シート１６、駆動回路基板１７および駆動回路基板カバー１８は、それぞれ従来一般に用いられているものが適用できる。それぞれ簡単に説明すると、光学シート類１３は、ここでは、光源ランプ１２が発する光の特性を調整する板状の部材もしくはシート状の部材、またはこれらの部材の集合をいう。具体的にはたとえば、拡散板、レンズシート、拡散シートなどが含まれ、これらが積み重ねて用いられる。光源ランプ１２は、たとえば、冷陰極管や熱陰極管などの蛍光管、ＬＥＤなどがが適用できる。なお、図１に示す実施形態では、直管形状を有する蛍光管が適用される構成を備える。反射シート１６は、光を乱反射させるような表面性状を有するシート状の部材である。具体的にはたとえば、シート状の発泡ＰＥＴ（ポリエチレンテレフタレート樹脂）材料などから形成される。駆動回路基板１７は、光源ランプ１２を駆動する回路が構築された回路基板である。駆動回路基板カバー１８は、駆動回路基板１７を覆うカバーであり、たとえば金属板材などの導体により形成される。【００３４】
液晶表示パネル２１およびこの液晶表示パネル２１を制御する制御回路基板２３は、従来一般の透過型の液晶表示パネルまたは制御回路基板が適用できる。このためこれらの詳細な説明は省略する。ベゼル２２は、開口した方形に形成される部材であり、たとえば金属板材などからプレス加工によって形成される。制御回路基板カバー２４は、制御回路基板２３を覆うカバーであり、たとえば金属板材などの導体からプレス加工などにより形成される。【００３５】
このような部材を含む照明ユニット１ａの組み付け構造は、次の通りである。【００３６】
バックライトアングル１１ａの前面側に反射シート１６が布設され、その前面側に光源ランプ１２が並べて配設される。この状態で、サイドホルダ１４が、バックライトアングル１１ａの短辺の周縁に沿うように、かつ光源ランプ１２の端部近傍を覆うように装着される。そして光学シート類１３が、バックライトアングル１１ａおよびサイドホルダ１４の載置面１１２ａ，１４３に載置される。さらにその前面側からフレーム１５ａが装着される。【００３７】
ここで、フレーム１５ａとバックライトアングル１１ａとは、ネジなど（図示せず）により分離不可能に結合される。一方、光学シート類１３は、その各辺の周縁部がバックライトアングル１１ａまたはサイドホルダ１４の載置面１１２ａ，１４３に載置されるのみであり、バックライトアングル１１ａ、サイドホルダ１４またはフレーム１５ａなどといった他の部材とは結合されない。【００３８】
そして照明ユニット１ａを備える表示装置２ａの組み付けは、次の通りである。照明ユニット１ａの前面に液晶表示パネル２１が配設され、その前面側からベゼル２２が装着される。また、バックライトアングル１１ａの背面側には、制御回路基板２３および制御回路基板カバー２４が装着される。【００３９】
このような構成を備える照明ユニット１ａ、または照明ユニット１ａが組み込まれた表示装置２ａにおける光学シート類１３の支持構造は次の通りである。【００４０】
図３は、照明ユニット１ａにおける光学シート類１３の支持構造を模式的に示した部分断面図であり、図３（ａ）は、照明ユニット１ａの長辺の周縁部近傍を長辺に直角に切断して示した断面模式図、図３（ｂ）は、短辺の周縁部近傍を短辺に直角に切断して示した断面模式図である。【００４１】
光学シート類１３の長辺の周縁部は、図３（ａ）に示すように、バックライトアングル１１ａの載置面１１２ａおよび立壁１１３ａと、フレーム１５ａの段差面１５２ａに囲まれた領域に収納される。そして、光学シート類１３は他の部材に固定されていないから、この囲まれた領域内であれば移動が許容される。【００４２】
そして、各長辺のうちのいずれか一方を下辺として光学シート類を略垂直に立てた状態とすると、光学シート類１３は、それぞれ自重によって下辺がバックライトアングル１１ａの立壁１１３ａに接触する。そして光学シート類１３のうちで厚さが薄く変形が容易なもの、たとえばレンズシート、拡散シートまたは偏光反射シートなどは、自重によって変形し、立壁１１３ａを前面側に移動して立壁１１３ａから脱落しようとする。しかしながら、立壁１１３ａには係止片１１４ａが形成されるため、光学シート類１３の下辺がこの係止片１１４ａにより係止され、脱落が防止される。この結果、光学シート類１３は、その自重により、その下辺がほぼ全長に亘ってバックライトアングル１１ａの立壁１１３ａによって支持される状態となる。【００４３】
ここで、光学シート類１３の脱落を確実に防止するためには、立壁１１３ａから突出する係止片１１４ａの高さを、少なくとも光学シート類１３の厚さより高くすることが好ましく、配設されるすべての光学シート類１３の厚さの和より高くすることがより好ましい。また、図３（ａ）は、係止片１１４ａは立壁１１３ａに対して略直角に突出する構成を示しているが、たとえば、この係止片１１４ａを背面側に向かってある程度の角度だけ傾斜させる構成であってもよい。このような構成とすれば、光学シート類１３が、係止片１１４ａを乗り越えて脱落することをより確実に防止できる。【００４４】
また、各長辺の全長に亘って所定の長さの係止片１１４ｂが所定の間隔をおいて複数形成されることが好ましい。このように、各辺の全長に亘って係止片１１４ｂが形成される構成であれば、光学シート類１３の下辺に局所的なしわや撓みの発生を防止できる。【００４５】
光学シート類１３の短辺は、また図３（ｂ）に示すように、サイドホルダ１４の載置面１４３、立壁１４１およびフレーム１５の段差面１５２ａに囲まれた領域に収納される。ここで、両短辺のうちのいずれか一方を下辺として光学シート類１３を略垂直に立てた状態とすると、光学シート類１３はそれぞれ自重によって下辺がサイドホルダ１４の立壁１４１に接触し、光学シート類１３のうち変形容易なものは自重によって変形してサイドホルダ１４の立壁１４１から脱落しようとする。しかし、立壁１４１に形成される係止片１４２によって脱落が防止される。この結果、光学シート類１３の下辺がほぼ全長に亘って、サイドホルダ１４の立壁１４１によって支持される状態となる。そして前記の長辺を下辺として支持する構成で説明したのと同じような作用効果が得られる。【００４６】
なお、本実施形態においては、係止片１４２が立壁１４１の全長に亘って形成される構成を有しており（図１または図２（ｂ）参照）、また、光学シート類１３のしわや撓みの防止の観点からは、全長に亘って係止片１４２が形成されることが好ましいと考えられるが、しわや変形を防止できるのあれば、必ずしも全長に亘って形成される必要はない。たとえば、バックライトアングル１１ａの長辺に形成される係止片１１４ａのように、所定の長さの係止片１４２が所定の間隔をおいて形成される構成であってもよい（図２（ａ）参照）。【００４７】
このような構成によれば、光学シート類１３は、立てた状態においては下辺のほぼ全長に亘って立壁１１３ａ，１４１によって支持される。このため、従来の光学シート類に開口部を形成してつり下げる構成などのように、光学シート類１３の特定の部位に力が集中することを防止でき、光学シート類１３にしわや撓みの発生を抑制できる。そして、係止片１１４ａ，１４２によって立壁１１３ａ，１４１からの脱落が防止されるから、脱落による変形に起因するしわや撓みの発生も抑制できる。【００４８】
また、光学シート類１３は、バックライトアングル１１ａ、サイドホルダ１４またはフレーム１５ａなどといった他の部材には固定されていない。このため、使用時に光源ランプの熱などによって温度上昇した場合でも、光学シート類１３は、これらの部材によって熱変形が拘束されることがない。したがって、熱膨張などが生じても光学シート類１３にしわや撓みは発生しない。【００４９】
このように、光学シート類１３のしわや撓みに起因する陰影や輝度ムラの発生を防止することができ、高品位な表示ができる表示装置用の照明ユニットを提供することができる。【００５０】
なお、このような構成は、少なくとも照明ユニット１ａまたは表示装置２ａの使用時において下辺となる１辺に備えるものであれば、前記の作用効果を奏することができる。ただし、光学シート類１３の四辺すべてをこのような構造で支持できる構成とすれば、使用時においてどの辺を下辺としたとしても、光学シート類１３のしわや撓みの発生を抑制できるから、照明ユニット１ａや表示装置２ａの向きに関わらず高品位な表示を行うことができる。このため、照明ユニット１ａまたは表示装置２ａの使用態様の自由度が向上する。【００５１】
なお、このような構成においては、バックライトアングル１１ａの各長辺およびサイドホルダ１４の立壁１１３ａ，１４１に形成される係止片１１４ａ，１４２の先端どうしが相対向する。この場合、バックライトアングル１１ａの長辺の立壁１１３ａに形成される係止片１１４ａの先端間の距離、すなわち図３（ａ）において符号Ｌ１で示される距離は、光学シート類１３の短辺の長さよりも大きいことが好ましい。また、サイドホルダ１４の立壁１４１に形成される係止片１４２の先端間の距離、すなわち図３（ｂ）において符号Ｌ２で示す距離は、光学シート類１３の長辺の長さよりも大きいことが好ましい。このような寸法設計とすれば、光学シート類１３をバックライトアングル１１ａやサイドホルダ１４の載置面１１２ａ，１４３に載置する際、光学シート類１３を変形させるなどする必要がないから、光学シート類１３の組み付けが容易となる。【００５２】
次に、本発明の他の実施形態について説明する。以下に示す他の実施形態は、バックライトアングルが合成樹脂材料などにより一体的に形成されるものである。なお、以下においては、主に前記実施形態と異なる部分について説明し、同じ構成を有する部分については前記実施形態と同一の符号を付して用い、説明を省略する。【００５３】
図４は、本発明の他の実施形態に係る表示装置用の照明ユニットの組み付け構造を模式的に示した分解斜視図である。また、丸で囲んで示した部分断面図は、バックライトアングル１１ｂの周縁部の構造を模式的に示した断面図である。【００５４】
まず、他の実施形態に係る表示装置用の照明ユニット１ｂの構成の概略について説明する。本照明ユニット１ｂは、この照明ユニット１ｂのシャーシとなるバックライトアングル１１ｂと、光源ランプ１２と、光源ランプ１２が発する光の特性を調整する光学シート類１３と、光学シート類１３の脱落防止などの機能を有するフレーム１５ｂとを備える。このほか、光源ランプ１２を駆動する駆動回路基板および駆動回路基板カバー（いずれも図略）を備える。【００５５】
次いで、本照明ユニット１ｂを構成する各部材について説明する。【００５６】
バックライトアングル１１ｂは、略方形で底の浅いトレイ状に形成される部材である。このバックライトアングル１１ｂは、たとえば合成樹脂材料などにより一体的に形成される。バックライトアングル１１ｂの各辺の周縁部には、底面１１１ｂから所定の角度をもって前面側にせり上がるように延設される傾斜面１１５と、この傾斜面１１５の先端から底面１１１ｂに略平行に延設される載置面１１２ｂが形成される。さらにこの載置面１１２ｂの外周縁からは、前面側に向かって立壁１１３ｂが形成され、立壁１１３ｂの先端近傍には、四辺形の内側に向かって突出する係止片１１４ｂが形成される。なお、図４においては、係止片１１４ｂが立壁１１３ｂの全長に亘って形成される構成を示すが、たとえば所定の長さの係止片が所定の間隔をおいて複数形成されるものであってもよい。この理由は、前記の実施形態の説明で述べたとおりである。【００５７】
フレーム１５ｂは、略開口した四辺形に形成される部材で、たとえば合成樹脂材料などにより一体に形成される。このフレーム１５ｂの各辺の内周縁には、背面側に向かって突出する段差面１５２ｂが形成される。【００５８】
なお、光学シート類１３、光源ランプ１２、駆動回路基板、駆動回路基板カバーは、前記実施形態と同じものが適用できることから、説明は省略する。【００５９】
このような部材からなる照明ユニット１ｂの組み付けは、次の通りである。バックライトアングル１１ｂの前面に光源ランプ１２が配設され、光学シート類１３がバックライトアングル１１ｂの載置面１１２ｂに載置される。そしてその前面側からフレーム１５ｂがバックライトアングル１１ｂに装着される。【００６０】
ここで、フレーム１５ｂとバックライトアングル１１ｂとは、分離困難に結合される。一方、光学シート類１３は、その四辺の周縁部がバックライトアングル１１ｂの載置面１１２ｂに載置されるのみであり、他の部材に固定されることはない。【００６１】
なお、このような照明ユニット１ｂを備える表示装置２ｂについては、その構成および組み込まれる部材は前記実施形態の表示装置２ａとほぼ同じであることから、説明は省略する。【００６２】
このような構成を備える照明ユニット１ｂにおける光学シート類１３の支持構造は、次の通りである。【００６３】
図５は、照明ユニット１ｂにおける光学シート類１３の支持構造の要部を模式的に示した部分断面図であり、詳しくは、照明ユニット１ｂの周縁部近傍を、外周の辺に直角に切断して示した断面模式図である。なお、この図５においては、左側が照明ユニット１ｂの背面側、右側が前面側である。【００６４】
この図５に示すように、光学シート類１３の各辺の周縁部は、バックライトアングル１１ｂの載置面１１２ｂおよび立壁１１３ｂと、フレーム１５ｂの段差面１５２ｂとに囲まれた領域に収納される。また、光学シート類１３は他の部材に固定されていないから、この囲まれた領域内であれば移動が許容される。そして、バックライトアングル１１ｂの各辺のいずれかを下辺として光学シート類１３を略垂直に立てた状態とすると、光学シート類１３は、それぞれ自重によって下辺がバックライトアングル１１ｂの立壁１１３ｂに接触し、さらに立壁１１３ｂから脱落しようとする。しかしながら、光学シート類１３の下辺が係止片１１４ｂにより係止され、脱落が防止される。この結果、光学シート類１３の下辺が自重によってほぼ全長に亘り、バックライトアングル１１ｂの立壁１１３ｂによって支持される状態となる。【００６５】
このような構成によれば、前記実施形態と同様の作用効果を奏することができる。また、係止片１１４ｂの寸法形状、構造は、前記の実施形態の係止片１１４ａと同様の構成を適用することができる。たとえば、対向する係止片１１４ｂの先端の間の距離Ｌ３も、前記実施形態と同様とすることができる。そしてその結果、前記実施形態と同様の作用効果を奏することができる。【００６６】
次いで、本発明の実施形態に係るテレビ受信機について簡単に説明する。図７は、本発明の実施形態にかかるテレビ受信機の構成を模式的に示した分解斜視図である。【００６７】
本実施形態に係るテレビ受信機７は、受信した電波から所定のチャンネルの映像信号と音声信号を生成するチューナ７１と、チューナ７１が生成した映像信号に基づいて映像を表示する表示装置２と、チューナが生成した音声信号に基づいて音声を発する拡声手段７２と、これらチューナ７１、表示装置２、拡声手段７２に対し電力を供給する電源７３を備える。【００６８】
チューナ７１には、従来一般の地上波チューナ（アナログ地上波用のチューナ、デジタル地上波用のチューナの一方または双方）、ＢＳチューナ、ＣＳチューナなどが適用でき、拡声手段７２には、一般的なスピーカなど、従来一般の拡声手段が適用できることから、詳細な説明は省略する。また、表示装置２は、本発明に係る照明ユニットが組み込まれた表示装置２ａ，２ｂが適用される。【００６９】
そして、これら表示装置２、チューナ７１、拡声手段７２、電源７３が、キャビネット７４と呼ばれる筐体に収納され、支持部材７５に支持される構成を有する。図７においては、キャビネット７４が表側キャビネット７４１と背面側キャビネット７４２とを有し、これらの間に表示装置２、チューナ７１、拡声手段７２、電源７３が組み付けられる構成を示す。このほか、チューナ７１、拡声手段７２、電源７３が、表示装置２に組み付けられる構成であってもよい。【００７０】
以上、本発明の各種実施形態について詳細に説明したが、本発明は前記各種実施形態に何ら限定されるものではなく、本発明の趣旨を逸脱しない範囲で種々の改変が可能である。【００７１】
たとえば、前記実施形態においては、係止片をバックライトアングルに一体に形成する構成を示したが、別部材を取り付ける構成であってもよい。
【図１】
0004667456.tif 000002
【図２】
0004667456.tif 000003
【図３】
0004667456.tif 000004
【図４】
0004667456.tif 000005
【図５】
0004667456.tif 000006
【図６】
0004667456.tif 000007
【図７】
0004667456.tif 000008